(57)【特許請求の範囲】
【請求項１】
曲線引金具（２）のアームロッド（５）の基端部に、き電線に接続されるリード線（８）を接続するとともに、アームロッド（５）の先端に、イヤー金具（６）を配設し、アームロッド（５）の先端部とイヤー金具（６）とをリード線（９）により接続したき電分岐装置曲引形において、き電線に接続される、アーム支持金具（３）の先端に水平方向に揺動可能に取り付けたターミナル（１０）に銅製リード線（８）を接続するとともに、該銅製のリード線（８）を、アルミニウム製のアームロッド（５）の基端部に、アルミニウム製のスリーブ（７Ａ）及び該スリーブ（７Ａ）に形成したリード線（８）を挿入する孔（７２）の内周面に配設した電気的金属腐食が生じないようにするための中間金属部材（７３）を介して圧着、固定し、イヤー金具（６）に接続する銅製のリード線（９）を、アルミニウム製のアームロッド（５）の先端部に、アルミニウム製のスリーブ（７Ｂ）及び該スリーブ（７Ｂ）に形成したリード線（９）を挿入する孔（７２）の内周面に配設した電気的金属腐食が生じないようにするための中間金属部材（７３）を介して圧着、固定したことを特徴とするき電分岐装置曲引形。
【請求項２】
ターミナル（１０）から２本のリード線（８，８）を導出し、各リード線（８，８）をアームロッド（５）の基端部のスリーブ（７Ａ）に接続したことを特徴とする請求項１記載のき電分岐装置曲引形。
【請求項３】
アームロッド（５）の先端部のスリーブ（７Ｂ）から２本のリード線（９，９）を導出し、各リード線（９，９）をイヤー金具（６）を構成するイヤー片（６１，６２）にそれぞれ接続したことを特徴とする請求項１又は２記載のき電分岐装置曲引形。
【発明の詳細な説明】
【０００１】
【発明の属する技術分野】
本発明は、き電分岐装置曲引形に関し、特に、曲線引金具の先端に大きな荷重をかけずに、き電線からトロリ線に給電を行うことができるようにしたき電分岐装置曲引形に関するものである。
【０００２】
【従来の技術】
ところで、き電線からトロリ線に給電を行うために用いられるき電分岐装置曲引形として、図５に示すように、曲線引金具１０２のアームロッド１０５の先端に可動に配設したイヤー金具１０６の一方のイヤー片１６１に、基端をき電線に接続して垂下したリード線１０９の先端（下端）を接続するようにしたものが提案されている（実公平６ー３４１７０号公報参照）。
【０００３】
【発明が解決しようとする課題】
このき電分岐装置曲引形においては、き電線に接続して垂下したリード線１０９の先端をイヤー金具１０６の一方のイヤー片１６１に接続するようにしているため、垂下したリード線１０９の重量が、イヤー金具１０６を介してトロリ線Ｔにかかるとともに、アームロッド１０５の先端に可動に配設したイヤー金具１０６の動きが、剛性を有するリード線１０９を接続することにより拘束されることにより、この部分が硬点となってトロリ線Ｔの局部摩耗の要因となり、トロリ線Ｔの耐久性を低下させるという問題があった。
【０００４】
本発明は、上記従来のき電分岐装置曲引形の有する問題点に鑑み、曲線引金具の先端に配設したイヤー金具に大きな荷重をかけずに、き電線からトロリ線に給電を行うことにより、トロリ線の硬点の発生を防止することができるようにしたき電分岐装置曲引形を提供することを目的とする。
【０００５】
【課題を解決するための手段】
上記目的を達成するため、本発明のき電分岐装置曲引形は、曲線引金具のアームロッドの基端部に、き電線に接続されるリード線を接続するとともに、アームロッドの先端に、イヤー金具を配設し、アームロッドの先端部とイヤー金具とをリード線により接続したき電分岐装置曲引形において、き電線に接続される、アーム支持金具の先端に水平方向に揺動可能に取り付けたターミナルに銅製リード線を接続するとともに、該銅製のリード線を、アルミニウム製のアームロッドの基端部に、アルミニウム製のスリーブ及び該スリーブに形成したリード線を挿入する孔の内周面に配設した電気的金属腐食が生じないようにするための中間金属部材を介して圧着、固定し、イヤー金具に接続する銅製のリード線を、アルミニウム製のアームロッドの先端部に、アルミニウム製のスリーブ及び該スリーブに形成したリード線を挿入する孔の内周面に配設した電気的金属腐食が生じないようにするための中間金属部材を介して圧着、固定したことを特徴とする。
【０００６】
このき電分岐装置曲引形は、き電線からトロリ線への給電を、き電線に接続されるリード線から、アームロッド、アームロッドの先端部とイヤー金具とを接続するリード線及びイヤー金具を介して行うことにより、曲線引金具の先端に配設したイヤー金具にリード線等の大きな荷重がかかることがなく、トロリ線の硬点の発生を防止することができる。
また、き電線に接続される、アーム支持金具の先端に水平方向に揺動可能に取り付けたターミナルに銅製リード線を接続することにより、アームロッドの動きの自由度を向上することができる。
さらに、銅製のリード線を、アルミニウム製のアームロッドに、アルミニウム製のスリーブ及び該スリーブに形成したリード線を挿入する孔の内周面に配設した電気的金属腐食が生じないようにするための中間金属部材を介して圧着、固定することにより、アルミニウム製のアームロッドと銅製のリード線とを、電気的金属腐食を生じることなく接続することができる。
【０００７】
この場合において、ターミナルから２本のリード線を導出し、各リード線をアームロッドの基端部のスリーブに接続することができる。
【０００８】
これにより、剛性の小さい線径の細いリード線を使用することが可能となり、アームロッドの動きの自由度を向上することができる。
【０００９】
また、アームロッドの先端部のスリーブから２本のリード線を導出し、各リード線をイヤー金具を構成するイヤー片にそれぞれ接続することができる。
【００１０】
これにより、剛性の小さい線径の細いリード線を使用することが可能となり、アームロッドの先端に配設したイヤー金具の動きの自由度を向上することができる。
【００１１】
【発明の実施の形態】
以下、本発明のき電分岐装置曲引形の実施の形態を図面に基づいて説明する。
【００１２】
図１〜図４に、本発明のき電分岐装置曲引形を適用した曲線引金具の一例を示す。
この曲線引金具２は、例えば、電柱等に設置した振止パイプ１に、支持金具１１により基端を固定したアーム支持金具３と、アーム支持金具３の先端に引手側金具４及び絶縁部材５１を介して、上下方向及び水平方向に揺動可能に取り付けたアームロッド５と、アームロッド５の先端に絶縁部材５２を介して配設したイヤー金具６とから構成する。
【００１３】
この場合において、アームロッド５は、アルミニウム製のパイプ部材で以て構成し、アームロッド５の基端部に、き電線（図示省略）に接続されるリード線８をスリーブ７Ａを介して接続するとともに、先端部にイヤー金具６に接続するリード線９をスリーブ７Ｂを介して接続するようにする。
【００１４】
き電線に接続されるリード線８は、銅製の撚線からなり、図２に示すように、き電線に接続されるターミナル１０の端部に形成した筒状部１０ａにリード線８の端部を挿入、かしめることにより圧着、固定するようにする。
このターミナル１０は、アーム支持金具３の先端に水平方向に揺動可能に取り付けるようにする。
また、リード線８は、２本の線材で以て構成し、両リード線８，８によりターミナル１０とアームロッド５とを接続するようにする。
これにより、剛性の小さい線径の細いリード線を使用することが可能となり、アームロッド５の動きの自由度を向上することができるものとなる。
【００１５】
銅製の撚線からなるき電線に接続されるリード線８及びイヤー金具６に接続するリード線９をアルミニウム製のパイプ部材からなるアームロッド５に接続するために使用するスリーブ７Ａ，７Ｂは、図４に示すように、アームロッド５と同じアルミニウム製で、スリーブ７Ａ，７Ｂにアームロッド５を挿通する孔７１と、それぞれ２本の線材からなるリード線８又はリード線９を挿入する孔７２，７２を形成して構成する。
【００１６】
このうち、リード線８，９を挿入する孔７２の内周面には、リード線８，９とスリーブ７Ａ，７Ｂとが直接接触しないように、Ｓｎ−Ｚｎ合金等の中間金属部材７３を配設し、これにより、銅製のリード線８又はリード線９と、アルミニウム製のスリーブ７Ａ，７Ｂ及びアームロッド５とを、特に、アルミニウム製のスリーブ７Ａ，７Ｂ及びアームロッド５に電気的金属腐食を生じることなく接続することができるようにする。
この中間金属部材７３は、孔７２内に中間金属を溶かし込んだ後、所要径の孔７２を穿孔して形成したり、あるいは、孔７２内に中間金属製のパイプ部材を嵌入して形成することができる。
【００１７】
このスリーブ７Ａ，７Ｂは、孔７１にアームロッド５を挿通するとともに、孔７２，７２にそれぞれ２本の線材からなるリード線８又はリード線９を挿入した状態で、例えば、図４（Ｂ）の二点鎖線で示すように、断面略円形のスリーブ７Ａ，７Ｂを断面六角形にかしめることにより、各部材を固定し、一体化するようにする。
【００１８】
アームロッド５の先端に水平方向に揺動可能に配設し、トロリ線Ｔを挟持するイヤー金具６は、図３に示すように、２個のイヤー片６１，６２を備え、このイヤー片６１，６２の端部に形成した筒状部６１ａ，６２ａに２本の線材からなるリード線９，９の端部を挿入、かしめることにより圧着、固定するようにする。
このように、リード線９を２本の線材で以て構成し、両リード線９，９によりアームロッド５とイヤー金具６のイヤー片６１，６２とを接続することにより、剛性の小さい線径の細いリード線を使用することが可能となり、イヤー金具６の動きの自由度を向上することができるものとなる。
【００１９】
このき電分岐装置曲引形は、き電線からトロリ線Ｔへの給電を、き電線にターミナル１０を介して接続されるリード線８から、スリーブ７Ａ、アームロッド５、スリーブ７Ｂ、リード線９及びイヤー金具６のイヤー片６１，６２を介して行うことにより、曲線引金具２の先端に配設したイヤー金具６にリード線等の大きな荷重がかかることがなく、トロリ線Ｔの硬点の発生を防止することができるものとなる。
また、アームロッド５とリード線８，９とを電気的に接続するために使用するスリーブ７Ａ，７Ｂのリード線８，９を挿入する孔７２の内周面に中間金属部材７３を配設することにより、銅製のリード線８，９と、アルミニウム製のスリーブ７Ａ，７Ｂ及びアームロッド５とを、電気的金属腐食を生じることなく接続することができるものとなる。
【００２０】
【発明の効果】
本発明のき電分岐装置曲引形によれば、き電線からトロリ線への給電を、き電線に接続されるリード線から、アームロッド、アームロッドの先端部とイヤー金具とを接続するリード線及びイヤー金具を介して行うことにより、曲線引金具の先端に配設したイヤー金具にリード線等の大きな荷重がかかることがなく、トロリ線の硬点の発生を防止することができ、これにより、トロリ線の局部摩耗を抑制して、トロリ線の耐久性を向上することができる。
また、き電線に接続される、アーム支持金具の先端に水平方向に揺動可能に取り付けたターミナルに銅製リード線を接続することにより、アームロッドの動きの自由度を向上することができる。
さらに、銅製のリード線を、アルミニウム製のアームロッドに、アルミニウム製のスリーブ及び該スリーブに形成したリード線を挿入する孔の内周面に配設した電気的金属腐食が生じないようにするための中間金属部材を介して圧着、固定することにより、アルミニウム製のアームロッドと銅製のリード線とを、電気的金属腐食を生じることなく接続することができ、長期間に亘って安定した状態でき電線からトロリ線に給電を行うことができる。
【００２１】
また、ターミナルから２本のリード線を導出し、各リード線をアームロッドの基端部のスリーブに接続することにより、剛性の小さい線径の細いリード線を使用することが可能となり、アームロッドの動きの自由度を向上することができる。
【００２２】
また、アームロッドの先端部のスリーブから２本のリード線を導出し、各リード線をイヤー金具を構成するイヤー片にそれぞれ接続することにより、剛性の小さい線径の細いリード線を使用することが可能となり、アームロッドの先端に配設したイヤー金具の動きの自由度を向上することができ、これにより、トロリ線の局部摩耗を抑制して、トロリ線の耐久性をより一層向上することができる。
【図面の簡単な説明】
【図１】  本発明のき電分岐装置曲引形の一実施例を示し、（Ａ）は正面図、（Ｂ）は左側面図、（Ｃ）は右側面図である。
【図２】  アームロッドの基端部を示し、（Ａ）は正面図、（Ｂ）は側面図である。
【図３】  イヤー金具を示し、（Ａ）は正面図、（Ｂ）は側面図である。
【図４】  スリーブを示し、（Ａ）は正面図、（Ｂ）は側面図である。
【図５】  従来のき電分岐装置曲引形の説明図である。
【符号の説明】
１    振止パイプ
２    曲線引金具
３    アーム支持金具
４    引手側金具
５    アームロッド
６    イヤー金具
６１  イヤー片
６２  イヤー片
７    スリーブ
８    リード線
９    リード線
１０  ターミナル
【図１】
0003894634.tif 000002
【図２】
0003894634.tif 000003
【図３】
0003894634.tif 000004
【図４】
0003894634.tif 000005
【図５】
0003894634.tif 000006